(57)【要約】【課題】自動取引装置の機能の柔軟な変更を容易に行う。【解決手段】自動取引装置２００は、ＵＩ（Ｕｓｅｒ  Ｉｎｔｅｒｆａｃｅ）ユニット２１０ｙや、紙幣ユニット２１０ａ、通帳ユニット２１０ｆ等の複数のユニットにより構成される。通帳ユニット２１０ｆ等は、各々、ＬＡＮ１０２を介して接続する制御装置から制御を受ける。通帳ユニット２１０ｆ等が適当に取捨選択されることで、標準的なＡＴＭ（Ａｕｔｏｍａｔｉｃ  Ｔｅｌｌｅｒ  Ｍａｃｈｉｎｅ）、記帳専用機、口座開設専用機、鉄道の券売機、住民票発行機等に自動取引装置２００を柔軟・容易に変更することができる。【選択図】  図２
2004164387.tif 000002
【特許請求の範囲】
【請求項１】
通信回線を介して接続された制御装置と通信しつつ自動取引を行う自動取引装置であって、
複数のユニットを備え、
該各ユニットは、前記通信回線を介して通信を実現する通信部と、前記制御装置との通信に基づき自動取引の一部の処理を実行する処理部とを備える自動取引装置。
【請求項２】
自動取引を行う複数の自動取引装置とネットワークを介して接続され、該自動取引装置の動作を制御する制御装置であって、
該自動取引装置は、該制御装置と個別に通信しつつ前記自動取引の一部を処理する複数種類のユニットにより構成され、
前記自動取引装置ごとに、該自動取引装置を構成する前記複数のユニットを対応付けて記憶する設定部と、
前記ユニットと通信する通信部と、
前記ユニットの種類に応じて設けられ、前記ユニットごとに、該ユニットの動作を指示する複数種類のユニット指示部と、
前記各自動取引装置を構成する前記ユニットに応じて、前記ユニット指示部を用いて前記指示を行うことで、該各自動取引装置に前記自動取引を実現させる装置制御部とを備える制御装置。
【請求項３】
請求項２記載の制御装置であって、
前記装置制御部は、前記自動取引装置の機能に応じて複数種類が設けられ、
該複数種類の装置制御部は、前記用いるユニット指示部が異なる制御装置。
【請求項４】
請求項２記載の制御装置であって、
前記各ユニットから、前記自動取引装置を特定する特定情報を取得する特定情報取得部と、
前記ユニットと前記特定される自動取引装置とを対応付けて前記設定部に記憶する装置特定部を備える制御装置。
【請求項５】
請求項２記載の制御装置であって、
前記装置制御部は、２つ以上の前記自動取引装置についての前記指示を関連付けて行う制御装置。
【請求項６】
自動取引装置と、該自動取引装置に通信回線を介して通信を行う制御装置とを利用しつつ自動取引を行う自動取引方法であって、
該自動取引装置は複数のユニットを備え、
該ユニットが、各々、前記通信を実現する工程と、
該ユニットが、各々、前記自動取引の一部を処理する工程とを備える自動取引方法。
【請求項７】
自動取引を行う複数の自動取引装置とネットワークを介して接続しつつ、該自動取引装置の動作を制御する制御方法であって、
前記自動取引装置は、該制御装置と個別に通信しつつ前記自動取引の一部を処理する複数種類のユニットにより構成され、
前記自動取引装置ごとに、該自動取引装置を構成する前記複数のユニットを対応付けて記憶する工程と、
前記ユニットと通信する工程と、
前記ユニットごとに該ユニットの動作を指示する、前記ユニットの種類に応じた複数種類の工程と、
前記各自動取引装置を構成する前記ユニットに応じて、前記ユニット指示部を用いて前記指示を行うことで、該各自動取引装置に前記自動取引を実現させる工程とを備える制御方法。
【請求項８】
自動取引を行う複数の自動取引装置とネットワークを介して接続しつつ、コンピュータに該自動取引装置の動作を制御させるためのコンピュータプログラムであって、
該自動取引装置は、該制御装置と個別に通信しつつ前記自動取引の一部を処理する複数種類のユニットにより構成され、
前記自動取引装置ごとに、該自動取引装置を構成する前記複数のユニットを対応付けて記憶する機能と、
前記ユニットと通信する機能と、
前記ユニットごとに該ユニットの動作を指示する、前記ユニットの種類に応じた複数種類の機能と、
前記各自動取引装置を構成する前記ユニットに応じて、前記ユニット指示部を用いて前記指示を行うことで、該各自動取引装置に前記自動取引を実現させる機能とを前記コンピュータに実現させるためのコンピュータプログラム。
【請求項９】
ネットワークに個別に接続され、自動取引の一部の機能を奏する複数のユニットをコンピュータに制御させて、自動取引を実現するためのコンピュータプログラムであって、
前記各ユニットと個別に前記ネットワークを介した通信を行う機能と、
前記通信を介して前記各ユニットの動作を制御して、該ユニットに応じた機能を実現させるユニット制御機能と、
前記自動取引を実現するために予め関連付けられたユニット間での情報の授受を統合して、前記自動取引を実現させる取引制御機能とを前記コンピュータに実現させるためのコンピュータプログラム。
【請求項１０】
請求項８，９いずれか記載のコンピュータプログラムを記録したコンピュータ読み取り可能な記録媒体。
【発明の詳細な説明】
【０００１】
【発明の属する技術分野】
本発明は自動取引装置に関する。
【０００２】
【従来の技術】
従来より、ＡＴＭ（Ａｕｔｏｍａｔｉｃ  Ｔｅｌｌｅｒ  Ｍａｃｈｉｎｅ）や券売機、宝くじ照合機等の自動取引装置が利用されている。例えば銀行のＡＴＭコーナーや、駅の切符売り場のように、複数台の自動取引装置が同じ場所に設置されることも多い。また、同じ場所に多種類の自動取引装置が設置される場合もある。例えば、銀行のＡＴＭコーナーでは、汎用の自動機の他に、振込み専用機や両替専用機、記帳専用機等が組み合わせて設置される場合が多い。
【０００３】
さらに、近年では、利便性の向上の要請から、分野の枠を超えた多種類の自動取引装置が同じ場所に設置される場合もある。例えば、コンビニエンスストアに、銀行のＡＴＭや住民票発行機、種々の切符の券売機などが併設される場合である。
【０００４】
【特許文献１】
特開２００２−１０９６３２
【特許文献２】
特開２０００−６７３２１
【特許文献３】
特開平４−３１６１５８
【特許文献４】
特開２００１−５２５５７１
【０００５】
【発明が解決しようとする課題】
しかし、自動取引装置を他の種類の自動取引装置に置き換える作業は煩雑なものであった。例えば、銀行のＡＴＭコーナーで自動取引装置の種類の組合せを変更したい場合や、駅の切符売り場で長距離用と短距離用との券売機の組合せを変更したい場合がある。季節による需要の変化や、経営戦略の変更等のためである。これらの場合における自動取引装置の搬出・搬入に要する手間が大きいものとなっている。
【０００６】
ここで、種々の取引が全て可能な汎用の自動取引装置を利用することで、自動取引装置の置き換えの手間を軽減することも可能ではある。しかし、今度は、種々の自動取引を全て実現するために、自動取引装置の構成が複雑なものとなってしまう。例えば、短距離用の券売機では硬貨のみを扱えれば足りるが、長距離用の券売機としては高額紙幣を取り扱うユニットが不可欠である場合がある。
【０００７】
かかる課題は、上述の場合に限らず、自動取引装置を利用する場合に共通する課題であった。例えば、コンビニエンスストアに、分野の枠を超えた多種類の自動取引装置を併設する場合である。
【０００８】
本発明は、上述の課題を解決するためになされたものであり、多数の種類の自動取引装置を利用する場合の実用性向上を目的とする。
【０００９】
【課題を解決するための手段】
上記課題の少なくとも一部を解決するために、本発明では、次の構成を適用した。
本発明の自動取引装置は、通信回線を介して接続された制御装置と通信しつつ自動取引を行う自動取引装置であって、複数のユニットを備え、該各ユニットは、前記通信回線を介して通信を実現する通信部と、前記制御装置との通信に基づき自動取引の一部の処理を実行する処理部とを備えることを要旨とする。
【００１０】
本発明の制御装置は、自動取引を行う複数の自動取引装置とネットワークを介して接続され、該自動取引装置の動作を制御する制御装置であって、該自動取引装置は、該制御装置と個別に通信しつつ前記自動取引の一部を処理する複数種類のユニットにより構成され、前記自動取引装置ごとに、該自動取引装置を構成する前記複数のユニットを対応付けて記憶する設定部と、前記ユニットと通信する通信部と、前記ユニットの種類に応じて設けられ、前記ユニットごとに、該ユニットの動作を指示する複数種類のユニット指示部と、前記各自動取引装置を構成する前記ユニットに応じて、前記ユニット指示部を用いて前記指示を行うことで、該各自動取引装置に前記自動取引を実現させる装置制御部とを備えることを要旨とする。
【００１１】
このようにすることで、構成するユニットの組合せの変更により、自動取引装置の機能を容易に変更することができる。これにより、需要の変化や経営戦略の変更等に応じて、種々の取引を自動取引装置に容易に実現させることができる。また、多種類の自動取引装置を同じ場所に設置する場合の全体的効率を向上することができる。自動取引装置の種類の組合せを需要の変化等に応じて柔軟・簡易に変更できるためである。さらに、自動取引装置は簡潔な構造でコストの低いものとすることができる。所望の取引に応じた最小限のユニットのみを自動取引装置に用意すれば足りることと、個々のユニットの制御等は制御装置により行われることとのためである。
【００１２】
実現する自動取引は、例えば、ＡＴＭやＣＤにおける取引、通帳記帳・口座開設・振込み・振替えといった取引など、銀行その他の金融機関における取引であってもよい。また、イベント会社や旅行会社、スーパー等におけるチケット・クーポンの発行であってもよい。あるいは、鉄道・バス・飛行機等の切符・定期券の発行であってもよい。さらに、住民票の発行その他の公的サービスに係る取引であってもよい。また、道路・鉄道・バス・飛行機等の空席・運行の情報や、宝くじやイベントの情報の照会等であってもよい。
【００１３】
ユニットとしては、例えば、電源管理に係る電源ユニット、ユーザ・インタフェースに係るユニット、紙幣や硬貨を取り扱うユニット、カードの取り扱いや新規発行を行うカードユニット、銀行振込の指示等が記載された帳票を取り扱う帳票ユニット、レシートその他明細票を発行する明細票ユニット、通帳の取扱いや新規発行を行う通帳ユニット、クーポンの発行や、鉄道・バス・航空機の切符・定期券の発行を行うユニット、住民票や宝くじを取り扱うユニットなどを利用することができる。
【００１４】
各ユニットは、種々の取引に汎用に利用されるものであってもよいし、特定の種類の取引にのみ利用されるものであってもよい。例えば、明細票ユニットは、銀行取引のレシートを発行するとともに、宝くじの照合結果が記載されたメモも発行するものとしてもよい。
【００１５】
ユニットは、自動取引装置の交換可能な部品であってもよい。すなわち、ユニットは、他の種類のユニット等と交換可能な態様で自動取引装置に組み込まれていてもよい。例えば、鉄道切符を発行するユニットを取り外して、代わりに、通帳を取り扱うユニットを組み込むことができてもよい。かかる交換により、鉄道の券売機をＡＴＭに改造することも可能となる。なお、全部又は一部のユニットについては、他の種類のユニットと交換不能な態様で自動取引装置に組み込まれるものとしてもよい。例えば、ユーザインタフェースを提供するユニットや、電源ユニットは、自動取引装置から取り外し不能であるものとしてもよい。
【００１６】
ユニットが奏する機能の少なくとも一部は、ソフトウェア的に構成された機能であってもよい。例えば、ユニットが奏する機能には、液晶パネルの制御機能であって、ソフトウェア的に構成された機能を含んでいてもよい。
【００１７】
制御装置と各ユニットの通信は、インターネットのような広域的ネットワークを介した通信であってもよいし、ＬＡＮ（Ｌｏｃａｌ  Ａｒｅａ  Ｎｅｔｗｏｒｋ）のような限定的ネットワークを介した通信であってもよい。また、制御装置とユニットの通信は、いわゆる一対一接続による通信であってもよい。例えば、ＵＳＢ（Ｕｎｉｖｅｒｓａｌ  Ｓｅｒｉａｌ  Ｂｕｓ）接続による通信であってもよい。さらに、制御装置とユニットは一つの筐体又は基板内に一体的に形成されており、制御装置とユニットの通信は筐体・基板内での通信であるものとしてもよい。
【００１８】
本発明の制御装置において、前記装置制御部は、前記自動取引装置の機能に応じて複数種類が設けられ、該複数種類の装置制御部は、前記用いるユニット指示部が異なるものとしてもよい。
【００１９】
このようにすることで、自動取引装置を構成する各ユニットのうちで必要なものを利用しつつ、所望の自動取引装置を実現することができる。例えば、券売機として利用する場合には切符を発行するユニット等を動作させ、ＡＴＭとして利用する場合には通帳を扱うユニット等を動作させることができる。このとき、紙幣を取り扱うユニットについては、いずれの場合にも動作させることができる。
【００２０】
本発明の制御装置において、前記各ユニットから、前記自動取引装置を特定する特定情報を取得する特定情報取得部と、前記ユニットと前記特定される自動取引装置とを対応付けて前記設定部に記憶する装置特定部を備えるものとしてもよい。
【００２１】
このようにすることで、設定部に、ユニットとそのユニットが構成する自動取引装置とを対応付けて記憶することができる。
【００２２】
なお、ユニットには、特定情報を記憶するディップスイッチやＲＯＭ・ＲＡＭを有するものとしてもよい。
【００２３】
本発明の制御装置において、前記装置制御部は、２つ以上の前記自動取引装置についての前記指示を関連付けて行うものとしてもよい。
【００２４】
このようにすることで、１つ自動取引装置で行われた取引に基づいて、別の自動取引装置での取引を行うことができる。例えば、１つの自動取引装置で行われた取引の続きを、別の自動取引装置で行うこともできる。具体的には、銀行振込を行う場合に、帳票の内容を読み込む処理を１つの自動取引装置で行い、実際の振り込みに必要な紙幣の投入は別の自動取引装置で行われるものとしてもよい。ユーザは、紙幣ユニットを有する自動取引装置に長蛇の列がある場合でも、帳票の内容の入力までの取引は、別の自動取引装置で済ませることができる。
【００２５】
本発明における、自動取引を実現するためのコンピュータプログラムは、
ネットワークに個別に接続され、自動取引の一部の機能を奏する複数のユニットをコンピュータに制御させて、自動取引を実現するためのコンピュータプログラムであって、前記各ユニットと個別に前記ネットワークを介した通信を行う機能と、前記通信を介して前記各ユニットの動作を制御して、該ユニットに応じた機能を実現させるユニット制御機能と、前記自動取引を実現するために予め関連付けられたユニット間での情報の授受を統合して、前記自動取引を実現させる取引制御機能とを前記コンピュータに実現させるためのコンピュータプログラムであることを要旨とする。
【００２６】
本発明において、各ユニットは、自動取引装置として一つの筐体内に納められている必要はない。例えば、各ユニットが、全く離れた場所で、個別にネットワークに接続されていてもよい。本発明のコンピュータプログラムは、このように個別に接続された各ユニットの動作を制御するとともに、各ユニットを統合させることによって自動取引を実現することができる。
【００２７】
例えば、各ユニットは個別に携帯されるものであり、同時に利用され、機能において一体性を有するが、一つの筐体には納められていないものとしてもよい。
【００２８】
本発明は、制御装置、自動取引装置としての態様の他、制御方法、自動取引方法など種々の態様で構成することが可能である。また、これらの方法をコンピュータによって実現するコンピュータプログラム自身またはこれと同視し得る信号として構成してもよい。更に、これらのコンピュータプログラムを記録した記録媒体として構成してもよい。
【００２９】
ここで記憶媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【００３０】
【発明の実施の形態】
以下、本発明の実施の形態について、実施例に基づき以下の順序で説明する。
Ａ．全体構成：
Ａ１．自動取引システム：
Ａ２．基本ユニット群：
Ａ３．汎用ユニット群：
Ａ４．専用ユニット群：
Ａ５．ユニットの入れ替え：
Ｂ．機能ブロック構成：
Ｃ．処理：
Ｄ．変形例（１）：
Ｅ．変形例（２）：
【００３１】
Ａ．全体構成：
Ａ１．自動取引システム：
図１は、自動取引システム１０００の全体構成を示す説明図である。自動取引システム１０００は、自動取引装置２００，２００ａ〜２００ｄ等と、ＬＡＮ（Ｌｏｃａｌ  Ａｒｅａ  Ｎｅｔｗｏｒｋ）１０２を介して自動取引装置２００等を制御する制御サーバ１００とからなる。自動取引装置２００，２００ａ〜２００ｄは１つの店舗内に設置される。また、制御サーバ１００は、外部のネットワークを介して外部のサーバ１０１ａ，１０１ｂ等と接続する。制御サーバ１００は、自動取引装置２００等のユーザの所望に応じて外部のサーバ１０１ａ，１０１ｂ等と通信を行い、銀行の振込みや住民票の発行等を処理することができる。
【００３２】
ここに、自動取引装置２００，２００ｃと、自動取引装置２００ａ，２００ｂと、自動取引装置２００ｄとは機能の異なる自動取引装置である。また、自動取引装置２００ｄは、装置構成の比較的簡潔な自動取引装置である。
【００３３】
なお、ＬＡＮ１０２、及び外部のサーバ１０１ａ，１０１ｂと接続する外部のネットワークには種々のネットワークを利用することができる。例えば、制御サーバ１００と自動取引装置２００，２００ａ〜２００ｄとは、ＵＳＢ（Ｕｎｉｖｅｒｓａｌ  Ｓｅｒｉａｌ  Ｂｕｓ）などにより一対一接続されていてもよい。また、外部のネットワークは専用ネットワークであってもよいし、インターネットや電話回線その他の汎用ネットワークを利用してもよい。
【００３４】
また、図１に示した自動取引装置２００，２００ａ〜２００ｄは例示であり、自動取引システム１０００はさらに多数の自動取引装置を有してもよいし、３台以下の自動取引装置を有してもよい。
【００３５】
図２は、自動取引装置２００の全体構成を示す説明図である。自動取引装置２００は、ＨＵＢ２０２と、ＨＵＢ２０２を介してＬＡＮ１０２に接続する複数のユニットにより構成される。なお、自動取引装置２００ａ〜２００ｄも同様の構成を有する。
【００３６】
なお、以下では説明の便宜上、ユニット群を、基本ユニット群２０１ａと汎用ユニット群２０１ｂと専用ユニット群２０１ｃとに分類しつつ説明を行う。基本ユニット群２０１ａに属するユニットは概ね、自動取引装置２００の基本的処理を司る。汎用ユニット群２０１ｂに属するユニットは概ね、種々の取引に汎用の処理を司る。専用ユニット群２０１ｃに属するユニットは概ね、一定の種類の取引に利用する機能を司る。ただし、かかる分類は、自動取引装置２００が多種多様な複数のユニットにより構成されることを示すための便宜的なものである。かかる分類が可能な場合に限らず、例えば他の分類が可能な場合や、全く分類ができない場合であってもよい。
【００３７】
自動取引装置２００は、基本ユニット群２０１ａに属するユニットとして、電源ユニット２１０ｘとＵＩ（Ｕｓｅｒ  Ｉｎｔｅｒｆａｃｅ）ユニット２１０ｙとを備える。また、汎用ユニット群２０１ｂに属するユニットとして、紙幣ユニット２１０ａと硬貨ユニット２１０ｂと、カードユニット２１０ｃと、帳票ユニット２１０ｄと、明細票ユニット２１０ｅとを備えることが可能である。さらに、専用ユニット群２０１ｃに属するユニットとして、通帳ユニット２１０ｆと、クーポンユニット２１０ｇと、鉄道券ユニット２１０ｈと、航空券ユニット２１０ｉと、住民票ユニットｊと、宝くじユニット２１０ｋとを備えることが可能である。
【００３８】
なお、後で詳述するように、自動取引装置２００は、必ずしも、上述の全てのユニットを有する必要がない。自動取引装置２００は、所望する取引の種類に応じて、上述のユニットを取捨選択して構成することができる。
【００３９】
図３は、紙幣ユニット２１０ａの構成の詳細を示す説明図である。紙幣ユニット２１０ａは、制御機構２１２と通信機構２１１と紙幣処理機構２１３とを有する。通信機構２１１は、ＨＵＢ２０２を介した通信を実現する。紙幣処理機構２１３は、自動取引装置２００のユーザが投入する紙幣を取得し、各種センサ等により紙幣の種類・枚数を検知したり、偽造紙幣を検知したりする。制御機構２１２は、ＣＰＵ及びＲＯＭ、ＲＡＭから構成される。制御機構２１２は、通信機構２１１を利用して制御サーバ１００と通信を行う。また制御機構２１２は、紙幣処理機構２１３を利用して紙幣の実際の取り扱いを行わせる。
【００４０】
紙幣ユニット２１０ａ以外の他のユニットも、紙幣ユニット２１０ａと同様に、自動取引装置２００が実行する取引に係る処理の一部を荷う機構と、制御機構と通信機構とを有する。
【００４１】
Ａ２．基本ユニット群：
まず、基本ユニット群２０１ａに属するユニットについて説明する。
電源ユニット２１０ｘは、自動取引装置２００の電源管理機構を備える。
【００４２】
ＵＩユニット２１０ｙは液晶タッチパネル等を備え、自動取引装置２００のユーザインタフェースを提供する。
【００４３】
なお、この他、自動取引装置２００の前にできているユーザの行列の状態を監視する監視ユニットを備えるものとしてもよい。例えば監視ユニットには、カメラやセンサを有するものとすることができる。また、自動取引装置２００で可能な取引内容等を案内板に示して表示する案内ユニット等を備えるものとしてもよい。
【００４４】
Ａ３．汎用ユニット群：
次に、汎用ユニット群２０１ｂに属するユニットについて説明する。
紙幣ユニット２１０ａについては上述したところである。
【００４５】
硬貨ユニット２１０ｂは、自動取引装置２００のユーザと硬貨のやりとりを行うとともに、硬貨を数えたり、その硬貨の真正を確認する機構を備える。
【００４６】
カードユニット２１０ｃは、プリペイドカードや定期券、ＩＣカードその他の種々のカード類を取り扱う機構を備える。
【００４７】
帳票ユニット２１０ｄは、銀行振込みや切符購入等の取引内容を記した帳票をユーザから受け取るとともに、帳票に記入された記載を読み取る機構を備える。
【００４８】
明細票ユニット２１０ｅは、取引に係る情報を記した明細表を発行する機構を備える。例えば、レシートや取引明細、宝くじの当選番号のメモ等を発行する。
【００４９】
Ａ４．専用ユニット群：
次に、専用ユニット群２０１ｃに属するユニットについて説明する。
通帳ユニット２１０ｆは、通帳の取得を行うとともに、通帳に新たな書き込みを行って返却する機構を備える。また、通帳ユニット２１０ｆは新規通帳を発行する機構を有する。
【００５０】
クーポンユニット２１０ｇは、イベント会社や旅行会社の発行するチケットや、旅行・買い物のクーポンの発行を行う機構を有する。
【００５１】
鉄道券ユニット２１０ｈは、鉄道の切符・定期券を発行する機構を有する。
【００５２】
航空券ユニット２１０ｉは、制御サーバ１００の指示に基づいて航空券を発行する機構を有する。
【００５３】
住民票ユニット２１０ｊは、制御サーバ１００が指定する内容を所定の用紙に印刷することで、住民票を発行する機構を有する。
【００５４】
宝くじユニット２１０ｋは、自動取引装置２００のユーザから宝くじを受け取るとともに、くじの番号を読み取る機構を有する。
【００５５】
Ａ５．ユニットの入れ替え：
図４は、ユニットが組み込まれた自動取引装置２００を示す説明図である。図４において、自動取引装置２００に組み込まれたユニット２２０ａ〜２２０ｅは、各々、図２で示した電源ユニット２１０ｘ〜宝くじユニット２１０ｋの１つを示している。
【００５６】
自動取引装置２００を構成するユニット２２０ａ〜２２０ｅは、各々、取り外し可能な構造で自動取引装置２００に組み込まれている。自動取引装置２００の管理者は、ユニット２２０ａ〜２２０ｅを取り外すとともに他の種類のユニットを代わりに組み込むことができる。
【００５７】
すなわち、各ユニット２２０ａ〜２２０ｅは自動取引装置２００の交換可能な部品である。自動取引装置２００は、ユニットを単位として容易に構成を変更可能な装置である。自動取引装置２００は、かかる構成変更により、実現可能な取引の種類を変更することができる。例えば、鉄道券ユニット２１０ｈを取り外して、代わりに、通帳ユニット２１０ｆを組み込むことで、鉄道の券売機をＡＴＭに変更することも可能である。
【００５８】
なお、例えばＵＩユニット２１０ｆ等は、取り外し不能な構造で自動取引装置２００に組み込まれるものとしてもよい。また、例えば、電源ユニット２１０ｘと紙幣ユニット２１０ａは相互に交換不能である等としてもよい。
【００５９】
図５は、自動取引装置２００が実現する取引の種類ごとに、必要なユニットを示した説明図である。
図５の表で「銀行自動機１：標準」欄は、標準的なＡＴＭを実現するために必要なユニットの組み合わせを示している。標準的なＡＴＭとして機能するために自動取引装置２００は、基本ユニット群２０１ａの他、紙幣ユニット２１０ａと、硬貨ユニット２１０ｂと、カードユニット２１０ｃと、明細票ユニット２１０ｅと、通帳ユニット２１０ｆとを必要とする。ただし、硬貨ユニット２１０ｂは必須ではない。ＣＤ（Ｃａｓｈ  Ｄｉｓｐｅｎｓｅｒ：引き出し専用機）として機能する場合は、硬貨ユニット２１０ｂや通帳ユニット２１０ｆは不要である。
【００６０】
自動取引装置２００は、銀行の自動機として機能する他、チケット発券機として機能したり、住民票発行端末として機能したり、宝くじ照合端末として機能したり、店舗の案内端末として機能したりすることができる。ここで、案内端末としての機能とは、他の自動取引装置の案内を行う機能である。例えば図１における自動取引装置２００ｄは、かかる案内のみを行う専用端末を示したものである。
【００６１】
例えば鉄道の券売機として機能するためには、自動取引装置２００は、基本ユニット群２０１ａと鉄道券ユニット２１０ｈが必要である他、紙幣ユニット２１０ａと硬貨ユニット２１０ｂとカードユニット２１０ｃとの少なくとも１つが必要である。また、帳票ユニット２１０ｄがあっても構わない。
【００６２】
Ｂ．機能ブロック構成：
図６は、制御サーバ１００における機能ブロック構成を示す説明図である。図示する機能ブロックは、それぞれ制御サーバ１００の機能としてソフトウェア的に構成されている。もっとも、各機能ブロックは、ハードウェア的に構成しても構わない。
【００６３】
電源モジュール２４０ｘ〜鉄道券モジュール２４０ｈ等の各モジュールは、図２に示した自動取引装置２００等の電源ユニット２１０ｘ〜宝くじユニット２１０ｋ等ごとに用意され、それぞれ、各ユニットの制御を行う機能を備える。例えば、電源モジュール２４０ｘは電源ユニット２１０ｘを制御することで、自動取引装置２００を起動させ又は停止させることができる。また、ＵＩモジュール２４０ｙはＵＩユニット２１０ｙを制御することで自動取引装置２００のユーザに取引に係る情報を提供したり、そのユーザ入力を取得したりすることができる。
【００６４】
ＬＡＮ通信部２３２は、ＬＡＮ１０２を介した通信を司る。電源モジュール２４０ｘ〜鉄道券モジュール２４０ｈ等は、ＬＡＮ通信部２３２を介して、各々、対応する電源ユニット２１０ｘ〜宝くじユニット２１０ｋ等と通信することができる。
【００６５】
図７は、ユニットと自動取引装置２００等とを対応付けて記憶するデータ構造を示す説明図である。設定部２３４は、図７に示すデータ構造を利用しつつ、ＬＡＮ１０２を介して接続するユニットの情報を記録する。
【００６６】
設定部２３４は、ＬＡＮ１０２を介して接続するユニットを、自動取引装置２００，２００ａ〜２００ｄ等ごとに対応付けて記憶する。図７では、自動取引装置１〜３ごとに、その自動取引装置を構成するユニットの情報が記録されている場合を示した。
【００６７】
また、設定部２３４は、自動取引装置１〜３ごとに、その自動取引装置が実現する取引の内容を記憶している。例えば、図７では、自動取引装置１が実現する取引は、図５における多機能の銀行自動機の取引である。
【００６８】
さらに、設定部２３４は、ＬＡＮ１０２を介して接続するユニットごとに、そのアドレスを記憶する。図７では、例えば、自動取引装置１のＵＩユニット２１０ｙについてアドレス「１２３．  １２３．  １２３．  １２３」を記憶する場合について示している。
【００６９】
なお、図７は一例であって、設定部２３４が記憶するデータには種々のデータ構造を利用することができる。例えば、各自動取引装置が実現する機能の内容を記憶していないものとしてもよいし、ユニットのアドレスを記憶していないものとしてもよい。
【００７０】
図６における銀行自動機１処理部２４２ａ〜案内処理部２４２ｇ等の各処理部は、自動取引装置２００，２００ａ〜２００ｄごとに、図５に示した銀行自動機１〜案内端末の機能を各々実現する機能を備える。設定部２３４の内容が図７の場合、自動取引装置１に対しては、銀行自動機３処理部２４２ｃが多機能の銀行端末の機能を実現する。また、自動取引装置２に対しては、案内処理部２４２ｋが案内端末の機能を実現する。
【００７１】
銀行自動機１処理部２４２ａ〜案内処理部２４２ｇ等は、それぞれ、電源モジュール２４０ｘ〜鉄道券モジュール２４０ｈ等を利用する。利用関係は、図５に示した関係に基づく。例えば、銀行自動機１処理部２４２ａは、基本モジュール群２４１ａの各モジュールと、紙幣モジュール２４０ａと、カードモジュール２４０ｃと、明細票モジュール２４０ｅと、通帳モジュール２４０ｆとを利用する。
【００７２】
ＷＡＮ通信部２３１は、外部サーバ１０１ａ，１０１ｂ等との通信を司る。銀行自動機１処理部２４２ａ〜案内処理部２４２ｇ等は、ＷＡＮ通信部２３１を介して外部のサーバ１０１ａ，１０１ｂと通信することができる。
【００７３】
自動機間処理部２３３は、複数の自動取引装置２００等についての銀行自動機１処理部２４２ａ〜案内処理部２４２ｇ等の処理を連携させる機能を有する。
【００７４】
なお、図６における銀行自動機１処理部２４２ａ〜案内処理部２４２ｇ等は、それぞれ、図５に示した銀行自動機１等の機能の１つを実現するものとしたが、かかる場合に限定されない。自動取引装置２００等ごとに自動取引の機能を実現する処理部であれば、種々の処理部を利用することができる。例えば、図５に示した機能の複数個を融合した機能を自動取引装置２００等に実現する処理部を利用してもよい。
【００７５】
Ｃ．処理：
図８は、帳票受け付け処理を示すフローチャートである。この処理は、多機能の銀行自動機の取引を実現する銀行自動機３処理部２４２ｃが利用されて行われる処理である。
【００７６】
ステップＳａ１で銀行自動機３処理部２４２ｃは、ＵＩモジュール２４０ｙを介して帳票受付処理を開始すべき指示を受け取る。受け取りは、ＵＩユニット２１０から行われる。
【００７７】
ステップＳａ２で銀行自動機３処理部２４２ｃは、帳票モジュール２４０ｄを介して帳票ユニット２１０ｄを動作させる。帳票ユニット２１０ｄは、自動取引装置２００のユーザから帳票を受け取る。また、帳票ユニット２１０ｄは、帳票に記入された記載の情報を銀行自動機３処理部２４２ｃに伝える。
【００７８】
ステップＳａ３で銀行自動機３処理部２４２ｃは、紙幣モジュール２４０ａ及び硬貨モジュール２４０ｂを介して、紙幣ユニット２１０ａ及び硬貨ユニット２１０ｂを動作させる。紙幣ユニット２１０ａ等は、自動取引装置２００のユーザから紙幣等を受け取る。紙幣ユニット２１０ａ等は、受け取った金銭の額を計算して銀行自動機３処理部２４２ｃに伝える。
【００７９】
ステップＳａ４で銀行自動機３処理部２４２ｃは、銀行振込を行う金額が、実際に投入された金額以下であることを確認する。実際に投入された金額が少なければ、ステップＳａ３に戻って、紙幣等の受け取りが再度行われる。
【００８０】
ステップＳａ５で銀行自動機３処理部２４２ｃは、ＷＡＮ通信部２３１を介して外部のサーバ１０１ａ等と通信することで、実際の銀行振込み処理を行う。
【００８１】
ステップＳａ６で銀行自動機３処理部２４２ｃは、紙幣モジュール２４０ａ及び硬貨モジュール２４０ｂを介して紙幣ユニット２１０ａ及び硬貨ユニット２１０ｂを動作させる。具体的には、お釣りの返却を行わせる。
【００８２】
ステップＳａ６で銀行自動機３処理部２４２ｃは、明細票モジュール２４０ｅを介して明細票ユニット２１０ｅを動作させる。具体的には、銀行取引に係るレシートを発行させる。
【００８３】
以上説明した自動取引システム１０００によれば、構成するユニットの組合せの変更により、自動取引装置の機能を容易に変更することができる。これにより、需要の変化や経営戦略の変更等に応じて、種々の取引を自動取引装置に容易に実現させることができる。また、多種類の自動取引装置を同じ場所に設置する場合の全体的効率を向上することができる。自動取引装置の種類の組合せを需要の変化等に応じて柔軟・簡易に変更できるためである。さらに、自動取引装置は簡潔な構造でコストの低いものとすることができる。所望の取引に応じた最小限のユニットのみを自動取引装置に用意すれば足りることと、個々のユニットの制御等は制御装置により行われることとのためである。
【００８４】
なお、自動取引装置２００のユーザは、図２に示した、銀行自動機の処理や、鉄道券発行としての処理等から所望の取引を選択実行できるものとしてもよい。
【００８５】
なお、電源ユニット２１０ｘ〜宝くじユニット２１０ｋ等のユニットは、実施例で、一つの自動取引装置２００等に納められているものとしたが、かかる場合に限定されることはない。例えば、各ユニットが、全く離れた場所で、個別にネットワークに接続されてもよい。また、各ユニットは個別に携帯されるものであり、同時に利用され、機能において一体性を有するが、一つの筐体には納められていないものとしてもよい。
【００８６】
Ｄ．変形例（１）：
次に、複数の自動取引装置２００等が連携しつつ、図８に示したものと同様の帳票受付処理が行われる場合について説明する。
【００８７】
図９は、複数の自動取引装置２００等が連携しつつ行う帳票受付処理を示すフローチャートである。本処理の場合、帳票の読み込みが案内端末２００ｄで行われた後に、実際の紙幣の投入等は自動取引装置２００で行われる。図５で示したように、案内端末２００ｄは、紙幣ユニット２１０ａ及び硬貨ユニット２１０ｂを有さないためである。
【００８８】
図９では、図８における処理と同様の処理については、同じ符号Ｓａ１〜Ｓａ７を付して示した。ただし、図９におけるステップＳａ１〜Ｓａ２の処理は、案内処理部２４２ｋが案内端末２００ｄを制御しつつ行われる。また、図９におけるステップＳａ１〜Ｓａ２の処理は、銀行自動機３処理部２４２ｃが自動取引装置２００を制御しつつ行われる。
【００８９】
ステップＳｂ１で案内処理部２４２ｋは、明細票モジュール２４０ｅを介して、案内端末２００ｄの明細票ユニット２１０ｅに、ＩＤ番号を記載した明細票を発行させる。ＩＤ番号は当該取引に固有のものが印刷される。このとき、案内処理部２４２ｋは自動機間処理部２３３にＩＤ番号等を報告しておく。具体的には、ステップＳａ２で把握された振込み取引きの内容とＩＤ番号とが対応付けて通知される。
【００９０】
明細票を取得したユーザは、紙幣ユニット２１０ａ等を有さない案内端末２００ｄから、紙幣ユニット２１０ａ等を有する自動取引装置２００に移動する。
【００９１】
ステップＳｂ２で銀行自動機３処理部２４２ｃは、ＵＩモジュール２４０ｙを介してＩＤ番号を取得する。取得は、ＵＩユニット２１０ｙから行われる。このとき、自動機間処理部２３３は、取得したＩＤ番号を、案内処理部２４２ｋが先に発行したＩＤ番号と比較する。これにより、自動機間処理部２３３は、当該ＩＤ番号を入力したユーザが所望する帳票取引の内容を特定する。特定結果に基づいて、銀行自動機３処理部２４２ｃはステップＳａ３以下の処理を実行する。
【００９２】
以上説明した自動取引システムによれば、ユーザは、紙幣ユニット等を有する自動取引装置２００に長蛇の列がある場合でも、帳票の内容の入力までの取引は案内端末２００ｄで済ませることができる。
【００９３】
なお、案内端末２００ｄから自動取引装置２００へのユーザの移動にあたっては、自動取引装置２００の目立つ場所に誘導ランプ等が点灯されるものとしてもよい。ただし、自動取引装置２００は、誘導ランプ等を有するユニットを備えるものとする。
【００９４】
また、制御サーバ１００は、紙幣ユニット２１０ａ等を有する自動取引装置２００等のうちから、自動取引装置２００等の前の行列人数が最小のものを選択してユーザに利用させるものとしてもよい。このとき、制御サーバ１００は、前述の監視ユニットを利用するものとしてもよい。
【００９５】
Ｅ．変形例（２）：
（Ａ）図１０は、ユニット情報記憶機構２１２ｍを有する紙幣ユニット２１０ｍの構成を示す説明図である。これは、実施例における図３の紙幣ユニット２１０に相当する。図１０において、図３と同様の機構には図３と同じ符号を付して示した。
【００９６】
ユニット情報記憶機構２１２ｍは紙幣ユニット２１０ｍについてのユニット情報を記憶する。ユニット情報には、当該紙幣ユニット２１０ｍを有する自動取引装置２００を特定する情報と、紙幣ユニット２１０ｍの機能や構成、種類を特定する情報とを含む。ユニット情報記憶機構２１２ｍは、具体的には、ディップスイッチやＲＯＭ等を利用して構成する。
【００９７】
制御サーバ１００は、基本モジュール群２４１ａの１つとして、ユニット情報読み出しモジュールを有する。当該モジュールは、ユニット情報記憶機構２１２ｍの記憶内容を読み出すことで、設定部２３４に、紙幣ユニット２１０ｍの情報を、自動取引装置２００と対応付けて記録することができる。
【００９８】
以上説明したユニットを利用することで、そのユニットの情報を設定部に準備する処理を容易に行うことができる。
【００９９】
（Ｂ）ここで、自動取引装置２００を構成するユニットのアドレスを制御サーバ１００の設定部２３４に設定する方法の一例について説明する。
【０１００】
まず、自動取引システム１０００の管理者は、自動取引装置２００以外の全ての自動取引装置のユニットをＬＡＮ１０２から切り離す。これにより、前述のユニット情報読み出しモジュールは、ＬＡＮ１０２との接続が維持されているユニットを、自動取引装置２００を構成するユニットとして認識することができる。ユニット情報読み出しモジュールは、ＬＡＮ１０２との接続が維持されているユニットのアドレスを、自動取引装置２００と対応付けて設定部２３４に記憶する。
【０１０１】
なお、自動取引システム１０００の管理者は、特定の１つのユニット以外の全てのユニットをＬＡＮ１０２から切り離すことで、その特定の１つのユニットのアドレスをユニット情報読み出しモジュールに認識させるものとしてもよい。また、ＬＡＮ１０２からユニットを切り離す方法は、単にコードを非接続とするものでもよいし、ユニットへの電源供給を絶つものでもよい。
【０１０２】
（Ｃ）なお、自動取引システム１０００の管理者は、設定部２３４の記憶内容を、実際のシステム構成に応じて直接設定するものとしてもよい。自動取引システム１０００の管理者は、各ユニットのアドレスを自動取引装置２００等ごとに入力することで、設定部２３４の設定を行うことができる。
【０１０３】
以上、実施例に基づき本発明にかかる自動取引システムを説明してきたが、上述した発明の実施の形態は、本発明の理解を容易にするためのものであり、本発明を限定するものではない。本発明は、その趣旨並びに特許請求の範囲を逸脱することなく、変更、改良され得る。
【０１０４】
【発明の効果】
以上説明した自動取引システムによれば、需要の変化や経営戦略の変更等に応じて、自動取引装置が実現する取引の内容を容易に変更することができる。ユニット構成の変更により機能の変更を簡易に実現できるためである。ここで、自動取引装置は簡潔な構造でコストの低いものとすることができる。自動取引装置は所望の取引に応じた最小限のユニットのみを有せば足りることに加え、個々のユニットの制御等は制御サーバにより行われるためである。
【図面の簡単な説明】
【図１】自動取引システム１０００の全体構成を示す説明図である。
【図２】自動取引装置２００の全体構成を示す説明図である。
【図３】紙幣ユニット２１０ａの構成の詳細を示す説明図である。
【図４】ユニットが組み込まれた自動取引装置２００を示す説明図である。
【図５】自動取引装置２００が実現する取引の種類ごとに、必要なユニットを示した説明図である。
【図６】制御サーバ１００における機能ブロック構成を示す説明図である。
【図７】ユニットと自動取引装置２００等とを対応付けて記憶するデータ構造を示す説明図である。
【図８】帳票受け付け処理を示すフローチャートである。
【図９】複数の自動取引装置２００等が連携しつつ行う帳票受付処理を示すフローチャートである。
【図１０】ユニット情報記憶機構２１２ｍを有する紙幣ユニット２１０ｍの構成を示す説明図である。
【符号の説明】
１０００…自動取引システム
１００…制御サーバ
２００…自動取引装置
２００，２００ａ…自動取引装置
２００ｄ…案内端末
１０１ａ，１０１ｂ…外部サーバ
２０１ａ…基本ユニット群
２０１ｂ…汎用ユニット群
２０１ｃ…専用ユニット群
２１０ａ…紙幣ユニット
２１０ｂ…硬貨ユニット
２１０ｃ…カードユニット
２１０ｄ…帳票ユニット
２１０ｅ…明細票ユニット
２１０ｆ…通帳ユニット
２１０ｇ…クーポンユニット
２１０ｈ…鉄道券ユニット
２１０ｉ…航空券ユニット
２１０ｊ…住民票ユニット
２１０ｋ…宝くじユニット
２１０ｘ…電源ユニット
２１０ｙ…ＵＩユニット
２４１ａ…基本モジュール群
２４０ａ…紙幣モジュール
２４０ｂ…硬貨モジュール
２４０ｃ…カードモジュール
２４０ｄ…帳票モジュール
２４０ｅ…明細票モジュール
２４０ｆ…通帳モジュール
２４０ｈ…鉄道券モジュール
２４０ｘ…電源モジュール
２４０ｙ…ＵＩモジュール
２４２ａ…銀行自動機１処理部
２４２ｂ…銀行自動機２処理部
２４２ｃ…銀行自動機３処理部
２４２ｇ…鉄道県発行処理部
２４２ｋ…案内処理部
２３４…設定部
２３３…自動機間処理部
２１１…通信機構
２１２…制御機構
２１３…紙幣処理機構
２１２ｍ…ユニット情報記憶機構
【図１】
2004164387.tif 000003
【図２】
2004164387.tif 000004
【図３】
2004164387.tif 000005
【図４】
2004164387.tif 000006
【図５】
2004164387.tif 000007
【図６】
2004164387.tif 000008
【図７】
2004164387.tif 000009
【図８】
2004164387.tif 000010
【図９】
2004164387.tif 000011
【図１０】
2004164387.tif 000012